(57)【要約】【課題】モータの固定子と回転子との間のギャップを小さくしてモータ効率が向上し、しかも装置の小型化をも図ることができるモータポンプを得る。【解決手段】モータポンプ１０では、コア部２０、底部２２、及びフランジ部２４から成る固定子１６によって、この固定子１６配置側の部位（一方のハウジング２６内）が、回転子１８及びインペラ３２配置側の部位（ポンプ部１４）から隔離密閉されており、固定子１６自体が防水隔壁の機能を有している。すなわち、キャン（密閉容器）を配置することで固定子をインペラ（ポンプ部）から隔離密閉した構成の従来の「キャンドモータポンプ」に対し、モータポンプ１０は、前記「キャン」を省略した構成とされる。したがって、固定子１６と回転子１８との間のギャップ（磁気ギャップ）が小さくなり、磁気抵抗が減少してモータ効率が向上する。またしかも、装置の小型化をも図ることができる。【選択図】　　　　図１
2004060490.tif 000002
【特許請求の範囲】
【請求項１】
固定子と、回転子と、前記回転子に連結され前記回転子と共に回転するインペラと、を有するモータポンプであって、
前記固定子と前記回転子との間に位置して前記固定子配置側の部位を前記回転子及びインペラ配置側の部位から隔離密閉する防水隔壁を、前記固定子自体によって構成した、
ことを特徴とするモータポンプ。
【請求項２】
前記固定子は、焼結にて形成される、ことを特徴とする請求項１記載のモータポンプ。
【請求項３】
前記固定子の焼結材料は、ＳＵＳ粉体または軟磁性粉末材料とされる、ことを特徴とする請求項２記載のモータポンプ。
【発明の詳細な説明】
【０００１】
【発明の属する技術分野】
本発明はモータポンプに関する。
【０００２】
【従来の技術】
モータによって駆動されるポンプのうち、モータの固定子をポンプ部から隔離密閉した構成のキャンドモータポンプが知られている。
【０００３】
この種のキャンドモータポンプは、モータの固定子と回転子との間にキャン（密閉容器）を備えており、このキャンによって固定子をポンプ部から隔離密閉しているため、軸封部が無く、揚液の漏れが生じないため、ウォータポンプ等として広く適用されている。
【０００４】
ところで、従来のこのようなキャンドモータポンプには、以下の如き欠点があった。すなわち、前述の如く固定子をポンプ部から隔離密閉するキャンを備えた構成であるため、全体としては部品点数が増加する。また、キャンの強度を確保するためにこれを厚肉にすることで対応しようとすると、モータの固定子と回転子との間の実質的なギャップ（磁気ギャップ）が大きくなってしまい、磁気抵抗が増加してモータ効率が悪化し、しかも装置が大型化してしまう。さらに、金属製のキャンとした場合には、渦電流損による損失が発生する等の問題もあった。
【０００５】
【発明が解決しようとする課題】
本発明は上記事実を考慮し、モータの固定子と回転子との間のギャップ（磁気ギャップ）を小さくしてモータ効率が向上し、しかも装置の小型化をも図ることができるモータポンプを得ることが目的である。
【０００６】
【課題を解決するための手段】
請求項１に係る発明のモータポンプは、固定子と、回転子と、前記回転子に連結され前記回転子と共に回転するインペラと、を有するモータポンプであって、前記固定子と前記回転子との間に位置して前記固定子配置側の部位を前記回転子及びインペラ配置側の部位から隔離密閉する防水隔壁を、前記固定子自体によって構成した、ことを特徴としている。
【０００７】
請求項１記載のモータポンプでは、固定子と回転子との間に位置して固定子配置側の部位を回転子及びインペラ配置側の部位から隔離密閉する防水隔壁が、固定子自体によって構成される。すなわち、モータの固定子と回転子との間にキャン（密閉容器）を配置することで固定子をインペラ（ポンプ部）から隔離密閉した構成の従来の「キャンドモータポンプ」に対し、請求項１記載のモータポンプは、前記「キャン（密閉容器）」を省略した構成とされる。換言すれば、前記従来の「キャン（密閉容器）」が実質的に存在しない構成とされる。
【０００８】
したがって、固定子と回転子との間のギャップ（磁気ギャップ）が小さくなり、磁気抵抗が減少してモータ効率が向上する。またしかも、装置の小型化をも図ることができる。
【０００９】
請求項２に係る発明のモータポンプは、請求項１記載のモータポンプにおいて、前記固定子は、焼結にて形成される、ことを特徴としている。
【００１０】
したがって、請求項２記載のモータポンプでは、耐食性及び気密性がありしかも任意の形状の固定子を形成することが可能になる。
【００１１】
さらにこの場合、前記焼結に際しては、請求項３に係る発明のモータポンプの如く、前記固定子の焼結材料はＳＵＳ粉体または軟磁性粉末材料とすることが好ましい。
【００１２】
【発明の実施の形態】
図１には本発明の実施の形態に係るモータポンプ１０の全体構成が断面図にて示されている。また、図２にはこのモータポンプ１０の全体構成が正面図にて示されている。
【００１３】
モータポンプ１０は、モータ部１２とポンプ部１４とによって構成されている。モータ部１２は、固定子１６と回転子１８とを有している。
【００１４】
モータ部１２の固定子１６は、ＳＵＳ粉体を焼結することで、全体として一側が開口する有底円筒形に形成されており、円筒側壁部分に位置するコア部２０と、底部２２と、開口側に位置するフランジ部２４とによって構成されている。このフランジ部２４がハウジング２６とハウジング２８とによって挟持されることで、固定子１６がハウジング２６内に固定配置されており、この固定子１６によって、一方のハウジング２６内をポンプ部１４（他方のハウジング２８側）から隔離密閉した構成となっている。
【００１５】
また、モータ部１２の回転子１８は、固定子１６の内方側に位置しており、支軸３０の一端が固定子１６の底部２２に回転可能に支持されると共に、支軸３０の他端がハウジング２８に回転可能に支持されている。
【００１６】
一方、ポンプ部１４は、モータ部１２の回転子１８に連結されたインペラ３２を有しており、回転子１８と共にインペラ３２が回転することで、吸入孔３４から揚液を吸い込み、吐出孔３６から吐出する構成となっている。
【００１７】
次に本実施の形態の作用を説明する。
【００１８】
以上の如く、本実施の形態に係るモータポンプ１０では、コア部２０、底部２２、及びフランジ部２４から成る固定子１６によって、この固定子１６配置側の部位（一方のハウジング２６内）が、回転子１８及びインペラ３２配置側の部位（ポンプ部１４）から隔離密閉されており、この固定子１６自体が防水隔壁の機能を有している。すなわち、モータの固定子と回転子との間にキャン（密閉容器）を配置することで固定子をインペラ（ポンプ部）から隔離密閉した構成の従来の「キャンドモータポンプ」に対し、本実施の形態に係るモータポンプ１０は、前記「キャン（密閉容器）」を省略した構成とされる。換言すれば、前記従来の「キャン（密閉容器）」が実質的に存在しない構成とされる。
【００１９】
したがって、固定子１６と回転子１８との間のギャップ（磁気ギャップ）が小さくなり、磁気抵抗が減少してモータ効率が向上する。またしかも、装置の小型化をも図ることができる。
【００２０】
また、固定子１６は、ＳＵＳ粉体を焼結することによって形成された構成であるため、耐食性及び気密性があり、しかも任意の形状の固定子を形成することが可能になる。
【００２１】
このように、本実施の形態に係るモータポンプ１０では、固定子１６と回転子１８との間のギャップ（磁気ギャップ）を小さくしてモータ効率が向上し、しかも装置の小型化をも図ることができる。
【図面の簡単な説明】
【図１】本発明の実施の形態に係るモータポンプの全体構成を示す断面図である。
【図２】本発明の実施の形態に係るモータポンプの全体構成を示す正面図である。
【符号の説明】
１０　　モータポンプ
１２　　モータ部
１４　　ポンプ部
１６　　固定子
１８　　回転子
２０　　コア部
２２　　底部
２４　　フランジ部
３２　　インペラ
【図１】
2004060490.tif 000003
【図２】
2004060490.tif 000004